(57)【特許請求の範囲】
【請求項１】
光コネクタの内部に形成された溝に光ファイバの先端部を挿入して前記溝に保持された内蔵光ファイバの後端と前記光ファイバの先端とを突き合わせた状態で前記光ファイバの先端部に前記光コネクタを固定するための光コネクタ取付用工具であって、
前記光コネクタをセットするための光コネクタセット部と、
前記光コネクタセット部に対して前記光コネクタの軸方向にスライド可能に設けられると共に、前記光ファイバの前記先端部よりも後端側を支持するためのスライド部と、
前記スライド部における第一の領域において前記光ファイバが軸方向以外の方向へ移動することを規制しつつ前記光ファイバを前記スライド部に対して軸方向に案内すると共に、前記スライド部における前記第一の領域よりも前記光ファイバの後端側の第二の領域において前記光ファイバを前記スライド部に固定する第一保持状態と、前記第一の領域において前記光ファイバを前記スライド部に固定する第二保持状態とに成り得るファイバ保持部と、
を備え、
前記光コネクタセット部に前記光コネクタがセットされると共に前記スライド部が前記光コネクタセット部側の移動限に位置されているときの前記溝の挿入口と前記第一の領域との間の距離と、前記第一の領域と前記第二の領域との間の距離とが異なって設定されている光コネクタ取付用工具。
【請求項２】
前記ファイバ保持部は、
前記第一の領域に取付可能とされ、前記第一の領域に取り付けられた場合に、前記光ファイバが軸方向以外の方向へ移動することを規制しつつ前記光ファイバを前記スライド部に対して軸方向に案内するファイバ案内部と、
前記第一の領域に取付可能とされ、前記第一の領域に取り付けられた場合に、前記光ファイバを前記スライド部に固定する第一のファイバ固定部と、
前記第二の領域に取付可能とされ、前記第二の領域に取り付けられた場合に、前記光ファイバを前記スライド部に固定する第二のファイバ固定部と、
を有し、
前記第一の領域に前記ファイバ案内部が取り付けられると共に前記第二の領域に前記第二のファイバ固定部が取り付けられることにより前記第一保持状態と成り、
前記第一の領域に前記第一のファイバ固定部が取り付けられることにより前記第二保持状態と成る、
請求項１に記載の光コネクタ取付用工具。
【請求項３】
前記ファイバ保持部は、
前記第一の領域に取付可能とされ、前記第一の領域に取り付けられた場合に、前記光ファイバが軸方向以外の方向へ移動することを規制しつつ前記光ファイバを前記スライド部に対して軸方向に案内するファイバ案内部と、
前記第一の領域及び前記第二の領域に選択的に取付可能とされ、前記第一の領域又は前記第二の領域に取り付けられた場合に、前記光ファイバを前記スライド部に固定するファイバ固定部と、
を有し、
前記第一の領域に前記ファイバ案内部が取り付けられると共に前記第二の領域に前記ファイバ固定部が取り付けられることにより前記第一保持状態と成り、
前記第一の領域に前記ファイバ固定部が取り付けられることにより前記第二保持状態と成る、
請求項１に記載の光コネクタ取付用工具。
【請求項４】
前記スライド部における前記光ファイバの前記先端部よりも後端側を支持する支持面には、前記第一の領域と前記第二の領域との間に凸部が形成されている、
請求項１〜請求項３のいずれか一項に記載の光コネクタ取付用工具。
【請求項５】
光コネクタの内部に形成された溝に光ファイバの先端部を挿入して前記溝に保持された内蔵光ファイバの後端と前記光ファイバの先端とを突き合わせた状態で前記光ファイバの先端部に前記光コネクタを固定するための光コネクタ取付用工具であって、
前記光コネクタをセットするための光コネクタセット部と、
前記光コネクタセット部に対して前記光コネクタの軸方向にスライド可能に設けられると共に、前記光ファイバの前記先端部よりも後端側を支持するためのスライド部と、
前記光ファイバの前記先端部よりも後端側が軸方向以外の方向へ移動することを規制しつつ前記光ファイバを前記スライド部に対して軸方向に案内するファイバ案内部と、
前記ファイバ案内部よりも前記光ファイバの後端側において前記光ファイバを前記スライド部に固定するファイバ固定部と、
を備え、
前記ファイバ案内部及び前記ファイバ固定部の少なくとも一方は、前記光ファイバの軸方向に複数設けられ、
前記ファイバ案内部によって前記光ファイバが案内される位置と、前記ファイバ固定部によって前記光ファイバが固定される位置との間の距離は、前記複数の前記ファイバ案内部のうち前記光ファイバを案内するファイバ案内部が切り替えられるか、又は、前記複数の前記ファイバ固定部のうち前記光ファイバを固定するファイバ固定部が切り替えられることにより変更される、
光コネクタ取付用工具。
【請求項６】
前記スライド部における前記光ファイバの前記先端部よりも後端側を支持する支持面には、前記ファイバ案内部と前記ファイバ固定部との間に凸部が形成されている、
請求項５に記載の光コネクタ取付用工具。
【請求項７】
前記ファイバ固定部は、プラスチックにより形成されると共に、弾性変形を伴って前記光ファイバを前記スライド部とで挟持する構成とされている、
請求項５又は請求項６に記載の光コネクタ取付用工具。
【発明の詳細な説明】
【技術分野】
【０００１】
本発明は、光コネクタ取付用工具に関する。
【背景技術】
【０００２】
特許文献１に記載の光コネクタ取付用工具では、挿入補助用工具に光コネクタを取り付けると共に、アタッチメント用工具に光ファイバを取り付けた状態で、挿入補助用工具に対してアタッチメント用工具をスライドさせて光コネクタの内部に光ファイバを挿入し、この光ファイバと、光コネクタの内部に設けられた内蔵光ファイバとを突き合わせ接続するようになっている。
【先行技術文献】
【特許文献】
【０００３】
【特許文献１】特開２００７−１２１８６３号公報
【発明の概要】
【発明が解決しようとする課題】
【０００４】
しかしながら、上記特許文献１に記載の光コネクタ取付用工具では、光ファイバと内蔵光ファイバとが所定の突き当て力で突き当てられるようにするために光ファイバの一部にたわみを形成するようになっている。ところが、光ファイバの種類（外径や剛性）が異なる場合でも一定の長さのたわみを形成した場合には、突き当て力が過大となるか又は不足する場合がある。そして、突き当て力が過大となった場合には、光ファイバや内蔵光ファイバに欠け等が生じ、突き当て力が不足した場合には、所望の光学特性を得られなくなるなどの不都合が生じる虞がある。
【０００５】
従って、光ファイバの種類（外径や剛性）が異なる場合には、これに応じてたわみの長さを適切長さに調節する必要があるが、上記特許文献１に記載の光コネクタ取付用工具を用いる場合には、この光コネクタ取付用工具を光ファイバの種類毎に用意する必要がある。
【０００６】
本発明は、上記課題に鑑みてなされたものであって、光ファイバの種類毎に光コネクタ取付用工具を用意する必要性を無くすことができる光コネクタ取付用工具を提供することを目的とする。
【課題を解決するための手段】
【０００７】
前記課題を解決するために、請求項１に記載の光コネクタ取付用工具は、光コネクタの内部に形成された溝に光ファイバの先端部を挿入して前記溝に保持された内蔵光ファイバの後端と前記光ファイバの先端とを突き合わせた状態で前記光ファイバの先端部に前記光コネクタを固定するための光コネクタ取付用工具であって、前記光コネクタをセットするための光コネクタセット部と、前記光コネクタセット部に対して前記光コネクタの軸方向にスライド可能に設けられると共に、前記光ファイバの前記先端部よりも後端側を支持するためのスライド部と、前記スライド部における第一の領域において前記光ファイバが軸方向以外の方向へ移動することを規制しつつ前記光ファイバを前記スライド部に対して軸方向に案内すると共に、前記スライド部における前記第一の領域よりも前記光ファイバの後端側の第二の領域において前記光ファイバを前記スライド部に固定する第一保持状態と、前記第一の領域において前記光ファイバを前記スライド部に固定する第二保持状態とに成り得るファイバ保持部と、を備え、前記光コネクタセット部に前記光コネクタがセットされると共に前記スライド部が前記光コネクタセット部側の移動限に位置されているときの前記溝の挿入口と前記第一の領域との間の距離と、前記第一の領域と前記第二の領域との間の距離とが異なって設定されている。
【０００８】
この光コネクタ取付用工具によれば、例えば、次の要領で光ファイバの先端部に光コネクタを固定することができる。すなわち、先ず、光コネクタセット部に光コネクタをセットする。また、光ファイバの先端部よりも後端側をスライド部に支持させ、この光ファイバの先端部よりも後端側をファイバ保持部によってスライド部に保持する。そして、この状態で、スライド部を光コネクタ側にスライドさせて、光ファイバの先端部を光コネクタの内部の溝に挿入する。
【０００９】
次いで、内蔵光ファイバの後端と光ファイバの先端とが突き当てられて光ファイバの先端部よりも後端側にたわみが形成されるまで、スライド部と共に光ファイバを光コネクタ側にスライドさせる。そして、光ファイバと内蔵光ファイバとが突き当てられて光ファイバの先端部よりも後端側にたわみが形成された段階で、スライド部を制止させ、光ファイバの先端部に光コネクタを固定する。以上の要領で光ファイバの先端部に光コネクタを固定することができる。
【００１０】
ここで、この光コネクタ取付用工具では、ファイバ保持部を第一保持状態と第二保持状態とに切り替えることができるようになっている。つまり、ファイバ保持部が第一保持状態と成りたときには、光ファイバは、スライド部における第一の領域において軸方向以外の方向への移動が規制されつつスライド部に対して軸方向に案内されると共に、スライド部における第二の領域においてスライド部に固定される。従って、ファイバ保持部が第一保持状態とされた場合、内蔵光ファイバの後端と光ファイバの先端とを突き当てて光ファイバの先端部よりも後端側にたわみを形成する際には、第一の領域と第二の領域との間でたわみが形成される。
【００１１】
一方、ファイバ保持部が第二保持状態とされたときには、光ファイバは、スライド部における第一の領域においてスライド部に固定される。従って、ファイバ保持部が第二保持状態とされた場合、内蔵光ファイバの後端と光ファイバの先端とを突き当てて光ファイバの先端部よりも後端側にたわみを形成する際には、溝の挿入口と第一の領域との間でたわみが形成される。
【００１２】
そして、この光コネクタ取付用工具では、光コネクタセット部に光コネクタがセットされると共にスライド部が光コネクタセット部側の移動限に位置されているときの溝の挿入口と第一の領域との間の距離と、第一の領域と第二の領域との間の距離とが異なって設定されている。従って、第一の領域と第二の領域との間で形成されるたわみの長さと、溝の挿入口と第一の領域との間で形成されるたわみの長さを異ならせることができる。
【００１３】
このように、この光コネクタ取付用工具によれば、たわみの長さを異ならせることができるので、光ファイバの種類（外径や剛性）が異なる場合でも、この光ファイバの種類に応じてたわみの長さを異ならせることにより、適切な突き当て力で光ファイバと内蔵光ファイバとを突き合わせ接続することができる。これにより、光ファイバの種類毎に光コネクタ取付用工具を用意する必要性を無くすことができる。
【００１４】
請求項２に記載の光コネクタ取付用工具は、請求項１に記載の光コネクタ取付用工具において、前記ファイバ保持部が、前記第一の領域に取付可能とされ、前記第一の領域に取り付けられた場合に、前記光ファイバが軸方向以外の方向へ移動することを規制しつつ前記光ファイバを前記スライド部に対して軸方向に案内するファイバ案内部と、前記第一の領域に取付可能とされ、前記第一の領域に取り付けられた場合に、前記光ファイバを前記スライド部に固定する第一のファイバ固定部と、前記第二の領域に取付可能とされ、前記第二の領域に取り付けられた場合に、前記光ファイバを前記スライド部に固定する第二のファイバ固定部と、を有し、前記第一の領域に前記ファイバ案内部が取り付けられると共に前記第二の領域に前記第二のファイバ固定部が取り付けられることにより前記第一保持状態と成り、前記第一の領域に前記第一のファイバ固定部が取り付けられることにより前記第二保持状態と成る構成とされている。
【００１５】
この光コネクタ取付用工具によれば、スライド部の第一の領域にファイバ案内部を取り付けると共にスライド部の第二の領域に第一のファイバ固定部を取り付けた状態と、スライド部の第一の領域に第二のファイバ固定部を取り付けた状態とに切り替えることにより、たわみの長さを異ならせることができる。
【００１６】
請求項３に記載の光コネクタ取付用工具は、請求項１に記載の光コネクタ取付用工具において、前記ファイバ保持部が、前記第一の領域に取付可能とされ、前記第一の領域に取り付けられた場合に、前記光ファイバが軸方向以外の方向へ移動することを規制しつつ前記光ファイバを前記スライド部に対して軸方向に案内するファイバ案内部と、前記第一の領域及び前記第二の領域に選択的に取付可能とされ、前記第一の領域又は前記第二の領域に取り付けられた場合に、前記光ファイバを前記スライド部に固定するファイバ固定部と、を有し、前記第一の領域に前記ファイバ案内部が取り付けられると共に前記第二の領域に前記ファイバ固定部が取り付けられることにより前記第一保持状態と成り、
前記第一の領域に前記ファイバ固定部が取り付けられることにより前記第二保持状態と成る構成とされている。
【００１７】
この光コネクタ取付用工具によれば、スライド部の第一の領域にファイバ案内部を取り付けると共にスライド部の第二の領域にファイバ固定部を取り付けた状態と、スライド部の第一の領域にファイバ固定部を取り付けた状態とに切り替えることにより、たわみの長さを異ならせることができる。
【００１８】
請求項４に記載の光コネクタ取付用工具は、請求項１〜請求項３のいずれか一項に記載の光コネクタ取付用工具において、前記スライド部における前記光ファイバの前記先端部よりも後端側を支持する支持面には、前記第一の領域と前記第二の領域との間に凸部が形成された構成とされている。
【００１９】
この光コネクタ取付用工具によれば、上述の如く光ファイバの先端部よりも後端側にたわみを形成する際に、この凸部によりたわみの形成方向を規定することができ、内蔵光ファイバの後端と光ファイバの先端とに過剰な力が作用することを抑制することができる。
【００２８】
請求項５に記載の光コネクタ取付用工具は、光コネクタの内部に形成された溝に光ファイバの先端部を挿入して前記溝に保持された内蔵光ファイバの後端と前記光ファイバの先端とを突き合わせた状態で前記光ファイバの先端部に前記光コネクタを固定するための光コネクタ取付用工具であって、前記光コネクタをセットするための光コネクタセット部と、前記光コネクタセット部に対して前記光コネクタの軸方向にスライド可能に設けられると共に、前記光ファイバの前記先端部よりも後端側を支持するためのスライド部と、前記光ファイバの前記先端部よりも後端側が軸方向以外の方向へ移動することを規制しつつ前記光ファイバを前記スライド部に対して軸方向に案内するファイバ案内部と、前記ファイバ案内部よりも前記光ファイバの後端側において前記光ファイバを前記スライド部に固定するファイバ固定部と、を備え、前記ファイバ案内部及び前記ファイバ固定部の少なくとも一方は、前記光ファイバの軸方向に複数設けられ、前記ファイバ案内部によって前記光ファイバが案内される位置と、前記ファイバ固定部によって前記光ファイバが固定される位置との間の距離は、前記複数の前記ファイバ案内部のうち前記光ファイバを案内するファイバ案内部が切り替えられるか、又は、前記複数の前記ファイバ固定部のうち前記光ファイバを固定するファイバ固定部が切り替えられることにより変更される構成とされている。
【００２９】
この光コネクタ取付用工具によれば、複数のファイバ案内部のうち光ファイバを案内するファイバ案内部を切り替えるか、又は、複数のファイバ固定部のうち光ファイバを固定するファイバ固定部を切り替えることにより、たわみの長さを変更することができる。
【００３０】
請求項６に記載の光コネクタ取付用工具は、請求項５に記載の光コネクタ取付用工具において、前記スライド部における前記光ファイバの前記先端部よりも後端側を支持する支持面には、前記ファイバ案内部と前記ファイバ固定部との間に凸部が形成された構成とされている。
【００３１】
この光コネクタ取付用工具によれば、上述の如く光ファイバの先端部よりも後端側にたわみを形成する際に、この凸部によりたわみの形成方向を規定することができ、内蔵光ファイバの後端と光ファイバの先端とに過剰な力が作用することを抑制することができる。
【００３２】
請求項７に記載の光コネクタ取付用工具は、請求項５又は請求項６に記載の光コネクタ取付用工具において、前記ファイバ固定部が、プラスチックにより形成されると共に、弾性変形を伴って前記光ファイバを前記スライド部とで挟持する構成とされたものである。
【００３３】
この光コネクタ取付用工具によれば、本体部の弾性変形を伴って光ファイバを本体部とスライド部とで挟持することができるので、光ファイバをスライド部へ保持する保持力を確保することができる。
【発明の効果】
【００３４】
以上詳述したように、本発明によれば、光ファイバの種類毎に光コネクタ取付用工具を用意する必要性を無くすことができる。
【図面の簡単な説明】
【００３５】
【図１】本発明の第一実施形態に係る光コネクタ取付用工具を外径の大きい光ファイバに適用した状態を示す図である。
【図２】図１に示される光コネクタ取付用工具を外径の小さい光ファイバに適用した状態を示す図である。
【図３】図１に示される光ファイバホルダの斜視図であって、（Ａ）は第一ファイバ案内部及び第二ファイバ固定部を開状態とした図、（Ｂ）は第一ファイバ案内部及び第二ファイバ固定部を閉状態とした図である。
【図４】図２に示される光ファイバホルダの斜視図であって、（Ａ）は第一ファイバ固定部及び第二ファイバ案内部を開状態とした図、（Ｂ）は第一ファイバ固定部及び第二ファイバ案内部を閉状態とした図である。
【図５】図１に示される光ファイバホルダの正面断面図であって、（Ａ）は光ファイバを基台にセットしていない状態、（Ｂ）は光ファイバを基台にセットした状態を示す図である。
【図６】図１に示される光コネクタの平面断面図である。
【図７】本発明の第一実施形態に係る光コネクタ取付用工具の変形例を示す図である。
【図８】本発明の第二実施形態に係る光コネクタ取付用工具を外径の大きい光ファイバに適用した状態を示す図である。
【図９】図８に示される光コネクタ取付用工具を外径の小さい光ファイバに適用した状態を示す図である。
【図１０】本発明の第三実施形態に係る光コネクタ取付用工具を外径の大きい光ファイバに適用した状態を示す図である。
【図１１】図１０に示される光コネクタ取付用工具を外径の小さい光ファイバに適用した状態を示す図である。
【図１２】本発明の第三実施形態に係る光コネクタ取付用工具の変形例を示す図である。
【図１３】本発明の第四実施形態に係る光コネクタ取付用工具を外径の大きい光ファイバに適用した状態を示す図である。
【図１４】図１３に示される光コネクタ取付用工具を外径の小さい光ファイバに適用した状態を示す図である。
【図１５】本発明の第五実施形態に係る光コネクタ取付用工具を外径の大きい光ファイバに適用した状態を示す図である。
【図１６】図１５に示される光コネクタ取付用工具を外径の小さい光ファイバに適用した状態を示す図である。
【発明を実施するための形態】
【００３６】
［第一実施形態］
はじめに、本発明の第一実施形態について説明する。
【００３７】
図１，図２に示されるように、本発明の第一実施形態に係る光コネクタ取付用工具１０は、光コネクタホルダ１２と、光ファイバホルダ１４とを備えている。
【００３８】
光コネクタホルダ１２は、長尺状に形成されており、その長手方向一方側には、光コネクタ５０をセットするための光コネクタセット部１６が形成され、その長手方向他方側には、後述する基台２０をスライド可能に支持するためのスライド支持部１８が形成されている。
【００３９】
光ファイバホルダ１４は、長尺状に形成されたスライド部としての基台２０と、いずれもプラスチックにより形成された第一ファイバ案内部２２と、第二ファイバ案内部２４と、第一ファイバ固定部２６と、第二ファイバ固定部２８とを有して構成されている。
【００４０】
基台２０は、光ファイバ８０の先端部よりも後端側を支持するための溝３０（図３，図４も参照）を有しており、スライド支持部１８にセットされた状態では、このスライド支持部１８に対して光コネクタ５０の軸方向にスライド可能に支持されるように構成されている。また、この基台２０は、図１〜図４に示されるように、第一の領域としての第一固定部３２と、この第一固定部３２よりも光ファイバ８０の後端側の第二の領域としての第二固定部３４とを有している。
【００４１】
第一ファイバ案内部２２及び第一ファイバ固定部２６は、第一固定部３２に選択的に取り付けられるようになっており、第二ファイバ案内部２４及び第二ファイバ固定部２８は、第二固定部３４に選択的に取り付けられるようになっている。
【００４２】
つまり、図１，図３では、第一ファイバ案内部２２が第一固定部３２に取り付けられると共に、第二ファイバ固定部２８が第二固定部３４に取り付けられているが、図２，図４に示されるように、第一ファイバ固定部２６が第一固定部３２に取り付けられると共に、第二ファイバ案内部２４が第二固定部３４に取り付けられることも可能となっている。
【００４３】
また、第一ファイバ案内部２２及び第二ファイバ固定部２８は、第一固定部３２及び第二固定部３４にそれぞれ回動可能に取り付けられる回動部３６，３８を有しており、基台２０に対して図３（Ａ）に示される開状態と図３（Ｂ）に示される閉状態とに成り得るようになっている。同様に、第一ファイバ固定部２６及び第二ファイバ案内部２４も、第一固定部３２及び第二固定部３４にそれぞれ回動可能に取り付けられる回動部３６，３８を有しており、基台２０に対して図４（Ａ）に示される開状態と図４（Ｂ）に示される閉状態とに成り得るようになっている。
【００４４】
また、これら第一ファイバ案内部２２、第一ファイバ固定部２６、第二ファイバ案内部２４、及び、第二ファイバ固定部２８は、基台２０に対して閉状態とされたときに基台２０に固定される固定部４０，４２をそれぞれ有している。
【００４５】
さらに、第一ファイバ案内部２２及び第二ファイバ案内部２４は、ガイド溝４４を有しており、基台２０に取り付けられて閉状態とされたときには、光ファイバ８０が軸方向以外の方向へ移動することを規制しつつ、この光ファイバ８０を基台２０に対して軸方向に案内する構成とされている。
【００４６】
一方、図５に示されるように、第二ファイバ固定部２８は、回動部３８と固定部４２との間に本体部４６を有している。この本体部４６と溝３０との間のクリアランスは、この溝３０に挿入される光ファイバ８０の外径よりも小さく設定されている。
【００４７】
そして、これにより、第二ファイバ固定部２８は、基台２０に取り付けられて閉状態とされたときには、本体部４６が弾性変形を伴って光ファイバ８０を基台２０とで挟持し、これにより、光ファイバ８０を基台２０に対して軸方向に移動不能に固定する構成とされている。なお、第一ファイバ固定部２６も、第二ファイバ固定部２８と同様に構成されている。
【００４８】
さらに、図１，図２に示されるように、この光コネクタ取付用工具１０では、光コネクタセット部１６に光コネクタ５０がセットされると共に基台２０が光コネクタセット部１６側の移動限に位置されているときの光コネクタ５０の後端５０Ａ（後述する溝６９の挿入口６９Ａ）と第一固定部３２との間の距離Ｌ１と、第一固定部３２と第二固定部３４との間の距離Ｌ２とが異なって設定されている。つまり、距離Ｌ１の方が距離Ｌ２よりも短く設定されている。
【００４９】
なお、本実施形態では、第一ファイバ案内部２２、第一ファイバ固定部２６、第二ファイバ案内部２４、及び、第二ファイバ固定部２８によって本発明におけるファイバ保持部が構成されている。
【００５０】
また、図１，図３に示されるように、光ファイバ８０の先端部よりも後端側を第一ファイバ案内部２２及び第二ファイバ固定部２８によって基台２０に保持する状態が、本発明におけるファイバ保持部の第一保持状態に相当し、図２，図４に示されるように、光ファイバ８０の先端部よりも後端側を第一ファイバ固定部２６及び第二ファイバ案内部２４によって基台２０に保持する状態が、本発明におけるファイバ保持部の第二保持状態に相当する。
【００５１】
光コネクタ５０は、図６に示されるように、所謂、メカニカル接続型とされており、プラグ５２と、スプリング５４と、フレーム５６と、支持部材５８と、スライダ６０とを有して構成されている。
【００５２】
プラグ５２は、フェルール６２及びファイバ接続部６４を有して構成されている。フェルール６２は、内蔵光ファイバ６６を有しており、後述するファイバ接続部６４の基板６８に一体に組み付けられている。
【００５３】
ファイバ接続部６４は、基板６８と、一対の蓋部材７０と、押圧部材７２とを有して構成されている。基板６８の表面部には、光コネクタ５０の軸方向に沿って断面Ｖ字状の溝６９が形成されており、この溝６９には、上述の内蔵光ファイバ６６の後端側が挿入されている。
【００５４】
一対の蓋部材７０は、溝６９の長手方向に並んで配置されると共に、それぞれこの溝６９が形成された基板６８の表面部を覆う大きさ及び形状で構成されている。また、この一対の蓋部材７０は、押圧部材７２に形成された一対の押圧片７２Ａによって基板６８側にそれぞれ押圧されている。
【００５５】
なお、基板６８及び一対の蓋部材７０には、図１，図２に示される楔７４に形成された凸部を挿入可能な凹部（いずれも不図示）が形成されている。そして、この凹部に凸部を挿入することで押圧部材７２の押圧力に抗して基板６８から一対の蓋部材７０を離間させることが可能となっている。
【００５６】
フレーム５６は、プラグ５２を軸方向にスライド可能に収納しており、スプリング５４は、フレーム５６の内部に設けられて、フレーム５６に対してプラグ５２を先端側に付勢している。また、支持部材５８は、フレーム５６の外周部に組み付けられており、スライダ６０は、支持部材５８の外側に設けられると共に、この支持部材５８にスライド可能に支持されている。
【００５７】
次に、この光コネクタ取付用工具１０を用いて光ファイバ８０の先端部に光コネクタ５０を固定する方法と併せて、その作用及び効果を説明する。
【００５８】
はじめに、光ファイバ８０の外径がφ０．９ｍｍで被覆の材料がナイロン（登録商標）とされた場合の光ファイバ８０の先端部に光コネクタ５０を固定する方法を説明する。先ず、図３（Ａ）に示されるように、光ファイバ８０の先端部における先端側の被覆を除去して裸ファイバ８２を露出させると共に、この裸ファイバ８２の先端を切断する。
【００５９】
また、第一ファイバ案内部２２及び第二ファイバ固定部２８を基台２０に取り付けてそれぞれ開状態とし、光ファイバ８０の先端部よりも後端側を基台２０の溝３０に挿入する。
【００６０】
そして、図３（Ｂ）に示されるように、第一ファイバ案内部２２及び第二ファイバ固定部２８を閉状態として、この光ファイバ８０の先端部よりも後端側を第一ファイバ案内部２２及び第二ファイバ固定部２８によって基台２０に保持する。
【００６１】
また、図１に示されるように、光コネクタセット部１６に光コネクタ５０をセットする。そして、この状態で、基台２０を光コネクタ５０側にスライドさせて、光ファイバ８０の先端部を光コネクタ５０の内部の溝６９に挿入する。
【００６２】
次いで、内蔵光ファイバ６６の後端と光ファイバ８０の先端とが突き当てられて、図１に示されるように、第一ファイバ案内部２２と第二ファイバ固定部２８との間で光ファイバ８０にたわみ８４が形成されるまで、基台２０と共に光ファイバ８０を光コネクタ５０側にスライドさせる。
【００６３】
そして、光ファイバ８０と内蔵光ファイバ６６とが突き当てられて光ファイバ８０にたわみ８４が形成された段階で、基台２０を制止させ、楔７４を光コネクタ５０から取り外す。これにより、図６に示されるように、押圧部材７２によって蓋部材７０が基板６８側に押圧されて光ファイバ８０の先端部がファイバ接続部６４に固定される。以上の要領で光ファイバ８０の先端部に光コネクタ５０を固定することができる。
【００６４】
次に、光ファイバ８０の外径がφ０．２５ｍｍで被覆の材料が紫外線硬化樹脂とされた場合の光ファイバ８０の先端部に光コネクタ５０を固定する方法を説明する。先ず、上記と同様に、図４（Ａ）に示されるように、光ファイバ８０の先端部における先端側の被覆を除去して裸ファイバ８２を露出させると共に、この裸ファイバ８２の先端を切断する。
【００６５】
また、第一ファイバ固定部２６及び第二ファイバ案内部２４を基台２０に取り付けてそれぞれ開状態とし、光ファイバ８０の先端部よりも後端側を基台２０の溝３０に挿入する。
【００６６】
そして、図４（Ｂ）に示されるように、第一ファイバ固定部２６及び第二ファイバ案内部２４を閉状態として、この光ファイバ８０の先端部よりも後端側を第一ファイバ固定部２６及び第二ファイバ案内部２４によって基台２０に保持する。
【００６７】
また、図２に示されるように、光コネクタセット部１６に光コネクタ５０をセットする。そして、この状態で、基台２０を光コネクタ５０側にスライドさせて、光ファイバ８０の先端部を光コネクタ５０の内部の溝６９に挿入する。
【００６８】
次いで、内蔵光ファイバ６６の後端と光ファイバ８０の先端とが突き当てられて、図２に示されるように、光コネクタ５０の後端５０Ａ（溝６９の挿入口６９Ａ）と第一ファイバ固定部２６との間で光ファイバ８０にたわみ８４が形成されるまで、基台２０と共に光ファイバ８０を光コネクタ５０側にスライドさせる。
【００６９】
そして、光ファイバ８０と内蔵光ファイバ６６とが突き当てられて光ファイバ８０にたわみ８４が形成された段階で、基台２０を制止させ、楔７４を光コネクタ５０から取り外す。これにより、図６に示されるように、押圧部材７２によって蓋部材７０が基板６８側に押圧されて光ファイバ８０の先端部がファイバ接続部６４に固定される。以上の要領で光ファイバ８０の先端部に光コネクタ５０を固定することができる。
【００７０】
ここで、この光コネクタ取付用工具１０では、図１に示されるように、光ファイバ８０の先端部よりも後端側を第一ファイバ案内部２２及び第二ファイバ固定部２８によって基台２０に保持したときには、第一ファイバ案内部２２と第二ファイバ固定部２８との間、すなわち、第一固定部３２と第二固定部３４との間でたわみ８４が形成される。
【００７１】
一方、図２に示されるように、光ファイバ８０の先端部よりも後端側を第一ファイバ固定部２６及び第二ファイバ案内部２４によって基台２０に保持したときには、光コネクタ５０の後端５０Ａ（溝６９の挿入口６９Ａ）と第一ファイバ固定部２６との間、すなわち、光コネクタ５０の後端５０Ａと第一固定部３２との間でたわみ８４が形成される。
【００７２】
そして、この光コネクタ取付用工具１０では、光コネクタセット部１６に光コネクタ５０がセットされると共に基台２０が光コネクタセット部１６側の移動限に位置されているときの光コネクタ５０の後端５０Ａ（溝６９の挿入口６９Ａ）と第一固定部３２との間の距離Ｌ１の方が、第一固定部３２と第二固定部３４との間の距離Ｌ２よりも短く設定されている。このため、第一固定部３２と第二固定部３４との間で形成されるたわみ８４の長さよりも、光コネクタ５０の後端５０Ａと第一固定部３２との間で形成されるたわみ８４の長さを短くすることができる。
【００７３】
従って、上述のように、光ファイバ８０の外径が大きい場合や剛性が高い場合に、光ファイバ８０の先端部よりも後端側を第一ファイバ案内部２２及び第二ファイバ固定部２８によって基台２０に保持すれば、距離の長い第一固定部３２と第二固定部３４との間においてたわみ８４を形成することができる。これにより、たわみ８４の長さを十分に確保することができるので、突き当て力が過大となって光ファイバ８０や内蔵光ファイバ６６に欠け等が生じることを抑制することができる。
【００７４】
一方、上述のように、光ファイバ８０の外径が小さい場合や剛性が低い場合に、光ファイバ８０の先端部よりも後端側を第一ファイバ固定部２６及び第二ファイバ案内部２４によって基台２０に保持すれば、距離の短い光コネクタ５０の後端５０Ａと第一固定部３２との間においてたわみ８４を形成することができる。これにより、たわみ８４の長さを短くすることができるので、突き当て力が不足して所望の光学特性を得られなくなるなどの不都合が生じることを抑制することができる。
【００７５】
このように、この光コネクタ取付用工具１０によれば、光ファイバ８０の種類（外径や剛性）が異なる場合でも、適切な突き当て力で光ファイバ８０と内蔵光ファイバ６６とを突き合わせ接続することができる。これにより、光ファイバ８０の種類毎に光コネクタ取付用工具１０を用意する必要性を無くすことができる。
【００７６】
また、この光コネクタ取付用工具１０によれば、第一ファイバ固定部２６及び第二ファイバ固定部２８が本体部４６の弾性変形を伴って光ファイバ８０を本体部４６と基台２０とで挟持することができるので、光ファイバ８０を基台２０へ保持する保持力を確保することができる。
【００７７】
なお、本実施形態では、図２，図４に示されるように、光ファイバ８０の外径が小さい場合や剛性が低い場合に、第二固定部３４に第二ファイバ案内部２４が取り付けられていたが、第二固定部３４に第二ファイバ固定部２８が取り付けられても良い。このようにしても、距離の短い光コネクタ５０の後端５０Ａと第一固定部３２との間においてたわみ８４を形成することができる。
【００７８】
また、本実施形態において、光ファイバホルダ１４は、たわみ８４の長さを短い状態と長い状態とに切替可能とされていたが、複数の固定部と、これらに取り付けられるファイバ案内部やファイバ固定部を有することにより、たわみ８４の長さを三つ以上の状態に切替可能とされていても良い。
【００７９】
また、本実施形態において、基台２０に形成された溝３０の底面（光ファイバ８０の先端部よりも後端側を支持する支持面）には、図７に示されるように、第一固定部３２と第二固定部３４との間に凸部３１が形成されていても良い。このように構成されていると、上述の如く光ファイバ８０の先端部よりも後端側にたわみ８４を形成する際に、この凸部３１によりたわみ８４の形成方向を規定することができ、内蔵光ファイバ６６の後端と光ファイバ８０の先端とに過剰な力が作用することを抑制することができる。
【００８０】
［第二実施形態］
次に、本発明の第二実施形態について説明する。
【００８１】
図８，図９に示される本発明の第二実施形態に係る光コネクタ取付用工具９０は、上述の本発明の第一実施形態に係る光コネクタ取付用工具１０に対し、次の如く構成が変更されている。
【００８２】
すなわち、この光コネクタ取付用工具９０は、ファイバ案内部９２とファイバ固定部９８を一つずつ有している。ファイバ案内部９２は、第一固定部３２及び第二固定部３４のいずれにも選択的に取付可能とされており、同様に、ファイバ固定部９８も、第一固定部３２及び第二固定部３４のいずれにも選択的に取付可能とされている。
【００８３】
なお、ファイバ案内部９２、ファイバ固定部９８は、第一固定部３２及び第二固定部３４のいずれにも選択的に取付可能とされている以外は、上述の本発明の第一実施形態における第一ファイバ案内部２２、第二ファイバ固定部２８とそれぞれ同様の構成とされている。
【００８４】
そして、この光コネクタ取付用工具９０では、図８に示されるように、第一固定部３２にファイバ案内部９２が固定され、第二固定部３４にファイバ固定部９８が固定されたときには、ファイバ案内部９２とファイバ固定部９８との間、すなわち、第一固定部３２と第二固定部３４との間でたわみ８４が形成される。
【００８５】
一方、図９に示されるように、第一固定部３２にファイバ固定部９８が固定され、第二固定部３４にファイバ案内部９２が固定されたときには、光コネクタ５０の後端５０Ａ（溝６９の挿入口６９Ａ）とファイバ固定部９８との間、すなわち、光コネクタ５０の後端５０Ａと第一固定部３２との間でたわみ８４が形成される。
【００８６】
従って、光ファイバ８０の外径が大きい場合や剛性が高い場合に、ファイバ案内部９２を第一固定部３２に固定すると共にファイバ固定部９８を第二固定部３４に固定し、このファイバ案内部９２及びファイバ固定部９８によって光ファイバ８０の先端部よりも後端側を基台２０に保持すれば、距離の長い第一固定部３２と第二固定部３４との間においてたわみ８４を形成することができる。これにより、たわみ８４の長さを十分に確保することができるので、突き当て力が過大となって光ファイバ８０や内蔵光ファイバ６６に欠け等が生じることを抑制することができる。
【００８７】
一方、光ファイバ８０の外径が小さい場合や剛性が低い場合に、ファイバ固定部９８を第一固定部３２に固定すると共にファイバ案内部９２を第二固定部３４に固定し、このファイバ固定部９８及びファイバ案内部９２によって光ファイバ８０の先端部よりも後端側を基台２０に保持すれば、距離の短い光コネクタ５０の後端５０Ａと第一固定部３２との間においてたわみ８４を形成することができる。これにより、たわみ８４の長さを短くすることができるので、突き当て力が不足して所望の光学特性を得られなくなるなどの不都合が生じることを抑制することができる。
【００８８】
このように、この光コネクタ取付用工具９０によれば、光ファイバ８０の種類（外径や剛性）が異なる場合でも、適切な突き当て力で光ファイバ８０と内蔵光ファイバ６６とを突き合わせ接続することができる。これにより、光ファイバ８０の種類毎に光コネクタ取付用工具９０を用意する必要性を無くすことができる。
【００８９】
なお、本実施形態では、図９に示されるように、光ファイバ８０の外径が小さい場合や剛性が低い場合に、第二固定部３４にファイバ案内部９２が取り付けられていたが、第二固定部３４にファイバ固定部９８と同様のファイバ固定部が取り付けられても良い。このようにしても、距離の短い光コネクタ５０の後端５０Ａと第一固定部３２との間においてたわみ８４を形成することができる。
【００９０】
また、本実施形態において、光ファイバホルダ１４は、たわみ８４の長さを短い状態と長い状態とに切替可能とされていたが、複数の固定部と、これらに取り付けられるファイバ案内部やファイバ固定部を有することにより、たわみ８４の長さを三つ以上の状態に切替可能とされていても良い。
【００９１】
また、特に図示しないが、本実施形態においても、基台２０に形成された溝３０の底面には、第一固定部３２と第二固定部３４との間に凸部３１が形成されていても良い（図７参照）。このように構成されていると、上述の如く光ファイバ８０の先端部よりも後端側にたわみ８４を形成する際に、この凸部３１によりたわみ８４の形成方向を規定することができ、内蔵光ファイバ６６の後端と光ファイバ８０の先端とに過剰な力が作用することを抑制することができる。
【００９２】
［第三実施形態］
次に、本発明の第三実施形態について説明する。
【００９３】
図１０，図１１に示される本発明の第三実施形態に係る光コネクタ取付用工具１００は、上述の本発明の第一実施形態に係る光コネクタ取付用工具１０に対し、次の如く構成が変更されている。
【００９４】
すなわち、この光コネクタ取付用工具１００は、ファイバ案内部１０２とファイバ固定部１０８を一つずつ有している。また、第一固定部３２は、ファイバ案内部１０２を基台２０の長手方向にスライド可能に保持している。
【００９５】
なお、ファイバ案内部１０２、ファイバ固定部１０８は、上述の本発明の第一実施形態における第一ファイバ案内部２２、第二ファイバ固定部２８とそれぞれ同様の構成とされている。また、第一固定部３２も、ファイバ案内部１０２を基台２０の長手方向にスライド可能に保持する以外は、上述の本発明の第一実施形態と同様の構成とされている。
【００９６】
そして、この光コネクタ取付用工具１００では、図１０，図１１に示されるように、ファイバ案内部１０２を基台２０に対してスライドさせることにより、光ファイバ８０におけるファイバ案内部１０２による案内位置とファイバ固定部１０８による固定位置との間の距離Ｌ３が変更可能とされている。そして、これにより、この間で形成されるたわみ８４の長さを変更することができるようになっている。
【００９７】
従って、図１０に示されるように、光ファイバ８０の外径が大きい場合や剛性が高い場合に、ファイバ案内部１０２を光コネクタ５０に近づければ、たわみ８４の長さを十分に確保することができるので、突き当て力が過大となって光ファイバ８０や内蔵光ファイバ６６に欠け等が生じることを抑制することができる。
【００９８】
一方、図１１に示されるように、光ファイバ８０の外径が小さい場合や剛性が低い場合に、ファイバ案内部１０２を光コネクタ５０から遠ざければ、たわみ８４の長さを短くすることができるので、突き当て力が不足して所望の光学特性を得られなくなるなどの不都合が生じることを抑制することができる。
【００９９】
このように、この光コネクタ取付用工具１００によれば、光ファイバ８０の種類（外径や剛性）が異なる場合でも、適切な突き当て力で光ファイバ８０と内蔵光ファイバ６６とを突き合わせ接続することができる。これにより、光ファイバ８０の種類毎に光コネクタ取付用工具１００を用意する必要性を無くすことができる。
【０１００】
なお、本実施形態では、ファイバ案内部１０２が基台２０の長手方向にスライドされることにより、たわみ８４の長さが変更されていたが、ファイバ案内部１０２及びファイバ固定部１０８の双方が基台２０の長手方向にスライドされるか、又は、ファイバ固定部１０８が基台２０の長手方向にスライドされることにより、たわみ８４の長さが変更されても良い。
【０１０１】
また、本実施形態において、基台２０に形成された溝３０の底面（光ファイバ８０の先端部よりも後端側を支持する支持面）には、図１２に示されるように、第一固定部３２と第二固定部３４との間（ファイバ案内部１０２とファイバ固定部１０８との間）に凸部３１が形成されていても良い。このように構成されていると、上述の如く光ファイバ８０の先端部よりも後端側にたわみ８４を形成する際に、この凸部３１によりたわみ８４の形成方向を規定することができ、内蔵光ファイバ６６の後端と光ファイバ８０の先端とに過剰な力が作用することを抑制することができる。
【０１０２】
［第四実施形態］
次に、本発明の第四実施形態について説明する。
【０１０３】
図１３，図１４に示される本発明の第四実施形態に係る光コネクタ取付用工具１１０は、上述の本発明の第一実施形態に係る光コネクタ取付用工具１０に対し、次の如く構成が変更されている。
【０１０４】
すなわち、この光コネクタ取付用工具１１０では、一対のファイバ案内部１１２Ａ，１１２Ｂと、ファイバ固定部１１８とを有している。また、一対のファイバ案内部１１２Ａ，１１２Ｂは、基台２０の長手方向に並んで配置されている。
【０１０５】
なお、一対のファイバ案内部１１２Ａ，１１２Ｂ、ファイバ固定部１１８は、上述の本発明の第一実施形態における第一ファイバ案内部２２、第二ファイバ固定部２８とそれぞれ同様の構成とされている。
【０１０６】
そして、この光コネクタ取付用工具１１０では、図１３，図１４に示されるように、一対のファイバ案内部１１２Ａ，１１２Ｂのうち閉状態とされるファイバ案内部が切り替えられることにより、この閉状態とされたファイバ案内部によって光ファイバ８０が案内される位置と、ファイバ固定部１１８によって光ファイバ８０が固定される位置との間の距離Ｌ４が変更される構成とされている。そして、これにより、この間で形成されるたわみ８４の長さを変更することができるようになっている。
【０１０７】
従って、図１３に示されるように、光ファイバ８０の外径が大きい場合や剛性が高い場合に、光コネクタ５０に近い側のファイバ案内部１１２Ａを閉状態とすれば、たわみ８４の長さを十分に確保することができるので、突き当て力が過大となって光ファイバ８０や内蔵光ファイバ６６に欠け等が生じることを抑制することができる。
【０１０８】
一方、図１４に示されるように、光ファイバ８０の外径が小さい場合や剛性が低い場合に、光コネクタ５０から遠い側のファイバ案内部１１２Ｂを閉状態とすれば、たわみ８４の長さを短くすることができるので、突き当て力が不足して所望の光学特性を得られなくなるなどの不都合が生じることを抑制することができる。
【０１０９】
このように、この光コネクタ取付用工具１１０によれば、光ファイバ８０の種類（外径や剛性）が異なる場合でも、適切な突き当て力で光ファイバ８０と内蔵光ファイバ６６とを突き合わせ接続することができる。これにより、光ファイバ８０の種類毎に光コネクタ取付用工具１１０を用意する必要性を無くすことができる。
【０１１０】
なお、特に図示しないが、本実施形態においても、基台２０に形成された溝３０の底面には、第一固定部３２と第二固定部３４との間（ファイバ案内部１１２Ｂとファイバ固定部１１８との間）に凸部３１が形成されていても良い（図１２参照）。このように構成されていると、上述の如く光ファイバ８０の先端部よりも後端側にたわみ８４を形成する際に、この凸部３１によりたわみ８４の形成方向を規定することができ、内蔵光ファイバ６６の後端と光ファイバ８０の先端とに過剰な力が作用することを抑制することができる。
【０１１１】
［第五実施形態］
次に、本発明の第五実施形態について説明する。
【０１１２】
図１５，図１６に示される本発明の第五実施形態に係る光コネクタ取付用工具１２０は、上述の本発明の第一実施形態に係る光コネクタ取付用工具１０に対し、次の如く構成が変更されている。
【０１１３】
すなわち、この光コネクタ取付用工具１２０では、ファイバ案内部１１２と、一対のファイバ固定部１１８Ａ，１１８Ｂとを有している。また、一対のファイバ固定部１１８Ａ，１１８Ｂは、基台２０の長手方向に並んで配置されている。
【０１１４】
なお、ファイバ案内部１１２、一対のファイバ固定部１１８Ａ，１１８Ｂは、上述の本発明の第一実施形態における第一ファイバ案内部２２、第二ファイバ固定部２８とそれぞれ同様の構成とされている。
【０１１５】
そして、この光コネクタ取付用工具１２０では、図１５，図１６に示されるように、一対のファイバ固定部１１８Ａ，１１８Ｂのうち閉状態とされるファイバ固定部が切り替えられることにより、ファイバ案内部１１２によって光ファイバ８０が案内される位置と、閉状態とされたファイバ固定部によって光ファイバ８０が固定される位置との間の距離Ｌ５が変更される構成とされている。そして、これにより、この間で形成されるたわみ８４の長さを変更することができるようになっている。
【０１１６】
従って、図１５に示されるように、光ファイバ８０の外径が大きい場合や剛性が高い場合に、ファイバ案内部１１２から遠い側のファイバ固定部１１８Ｂを閉状態とすれば、たわみ８４の長さを十分に確保することができるので、突き当て力が過大となって光ファイバ８０や内蔵光ファイバ６６に欠け等が生じることを抑制することができる。
【０１１７】
一方、図１６に示されるように、光ファイバ８０の外径が小さい場合や剛性が低い場合に、ファイバ案内部１１２に近い側のファイバ固定部１１８Ａを閉状態とすれば、たわみ８４の長さを短くすることができるので、突き当て力が不足して所望の光学特性を得られなくなるなどの不都合が生じることを抑制することができる。
【０１１８】
このように、この光コネクタ取付用工具１２０によれば、光ファイバ８０の種類（外径や剛性）が異なる場合でも、適切な突き当て力で光ファイバ８０と内蔵光ファイバ６６とを突き合わせ接続することができる。これにより、光ファイバ８０の種類毎に光コネクタ取付用工具１２０を用意する必要性を無くすことができる。
【０１１９】
なお、本実施形態においては、本発明の第四実施形態のように、ファイバ案内部１１２の代わりに、一対のファイバ案内部１１２Ａ，１１２Ｂが設けられ、一対のファイバ案内部１１２Ａ，１１２Ｂのうち閉状態とされるファイバ案内部が切り替えられると共に、一対のファイバ固定部１１８Ａ，１１８Ｂのうち閉状態とされるファイバ固定部が切り替えられることにより、たわみ８４の長さが変更されても良い。
【０１２０】
また、特に図示しないが、本実施形態においても、基台２０に形成された溝３０の底面には、第一固定部３２と第二固定部３４との間（ファイバ案内部１１２とファイバ固定部１１８Ｂとの間）に凸部３１が形成されていても良い（図１２参照）。このように構成されていると、上述の如く光ファイバ８０の先端部よりも後端側にたわみ８４を形成する際に、この凸部３１によりたわみ８４の形成方向を規定することができ、内蔵光ファイバ６６の後端と光ファイバ８０の先端とに過剰な力が作用することを抑制することができる。
【０１２１】
以上、本発明の一実施形態について説明したが、本発明は、上記に限定されるものでなく、上記以外にも、その主旨を逸脱しない範囲内において種々変形して実施可能であることは勿論である。
【符号の説明】
【０１２２】
１０  光コネクタ取付用工具
１６  光コネクタセット部
２０  基台（スライド部）
２２  第一ファイバ案内部（ファイバ案内部）
２４  第二ファイバ案内部
２６  第一ファイバ固定部（第一のファイバ固定部）
２８  第二ファイバ固定部（第二のファイバ固定部）
３１  凸部
３２  第一固定部（第一の領域）
３４  第二固定部（第二の領域）
９０  光コネクタ取付用工具
９２  ファイバ案内部
９８  ファイバ固定部
１００  光コネクタ取付用工具
１０２  ファイバ案内部
１０８  ファイバ固定部
１１０  光コネクタ取付用工具
１１２，１１２Ａ，１１２Ｂ  ファイバ案内部
１１８，１１８Ａ，１１８Ｂ  ファイバ固定部
１２０  光コネクタ取付用工具
【図１】
0005484836.tif 000002
【図２】
0005484836.tif 000003
【図３】
0005484836.tif 000004
【図４】
0005484836.tif 000005
【図５】
0005484836.tif 000006
【図６】
0005484836.tif 000007
【図７】
0005484836.tif 000008
【図８】
0005484836.tif 000009
【図９】
0005484836.tif 000010
【図１０】
0005484836.tif 000011
【図１１】
0005484836.tif 000012
【図１２】
0005484836.tif 000013
【図１３】
0005484836.tif 000014
【図１４】
0005484836.tif 000015
【図１５】
0005484836.tif 000016
【図１６】
0005484836.tif 000017